(57)【要約】【課題】組み立てる際の作業の効率を高めることを可能とした紙箱の底組みロック、および、紙箱のブランクシートを提供すること。【解決手段】紙箱の底組みロックは、内底板の備える一対の切欠き１５が、内底板の先端辺から内底板の基端辺に向けて先細る形状を有し、切欠き１５の先端から内底板の先端辺まで延びる第１辺１５Ａと、切欠き１５の先端から内底板の先端辺まで延びる第２辺１５Ｂとによって区画される。切欠き１５の第１辺１５Ａと他の切欠き１５との距離が、各切欠き１５の第２辺１５Ｂと他の切欠き１５との距離よりも長く、各切欠き１５の第２辺１５Ｂは、第２辺１５Ｂの各部位において、内底板の先端辺との距離が短い部位ほど、他の切欠き１５との距離が短く、かつ、切欠き１５の内側に向けて突となる曲線状を有する。【選択図】図１
0003206647.tif 000002
【実用新案登録請求の範囲】
【請求項１】
長側板と短側板とが周方向において交互に連接した外周板と、
前記各長側板の底辺に連接する内底板であって、前記各内底板の基端辺が前記長側板の底辺であり、前記各内底板の先端辺が他の前記内底板の先端辺と噛み合う部位であり、前記内底板における先端辺の延在方向に一対の切欠きが並ぶ前記内底板と、
前記各短側板の底辺に連接する外底フラップであって、前記外底フラップの基端辺が前記短側板の底辺であり、前記各外底フラップの先端部が、前記外底フラップの基端辺から前記外底フラップの先端部に向けて延びる矩形板状を有したロック片である前記外底フラップと、を備え、
前記各切欠きは、前記内底板の先端辺から前記内底板の基端辺に向けて先細る形状を有し、前記切欠きの先端から前記内底板の先端辺まで延びる第１辺と、前記切欠きの先端から前記内底板の先端辺まで延びる第２辺とによって区画され、
前記各切欠きの第１辺と他の前記切欠きとの距離が、前記各切欠きの第２辺と他の前記切欠きとの距離よりも長く、
前記各切欠きの第２辺は、前記第２辺の各部位において、前記内底板の先端辺との距離が短い部位ほど、他の前記切欠きとの距離が短く、かつ、前記切欠きの内側に向けて突となる曲線状を有し、
前記内底板と前記外底フラップとは、相互に重ね合わせられ、かつ、前記切欠きの先端に前記ロック片の基端が嵌り込むことによって、相互に固定される
紙箱の底組みロック。
【請求項２】
前記底組みロックは、１枚の段ボールから構成され、
前記段ボールにおける中芯の延在方向は、前記外底フラップの基端辺から前記外底フラップの先端部に向けた方向である
請求項１に記載の紙箱の底組みロック。
【請求項３】
前記第１辺は、第１線分と第２線分とから構成され、
前記第１線分は、前記内底板の先端辺から前記内底板の先端辺と直交する方向に延び、
前記第２線分は、前記第２線分の各部位において、前記内底板の先端辺との距離が短い部位ほど、他の前記切欠きとの距離が長く、かつ、前記切欠きの外側に向けて突となる曲線状を有する
請求項１または２に記載の紙箱の底組みロック。
【請求項４】
紙箱のブランクシートであって、
長側板と短側板とが延在方向において交互に連接した外周板と、
前記各長側板の底辺に連接する内底板であって、前記各内底板の基端辺が前記長側板の底辺であり、前記紙箱において、前記各内底板の先端辺が他の前記内底板の先端辺と噛み合う部位であり、前記内底板における先端辺の延在方向に一対の切欠きが並ぶ前記内底板と、
前記各短側板の底辺に連接する外底フラップであって、前記外底フラップの基端辺が前記短側板の底辺であり、前記各外底フラップの先端部が、前記外底フラップの基端辺から前記外底フラップの先端部に向けて延びる矩形板状を有したロック片である前記外底フラップと、を備え、
前記各切欠きは、前記内底板の先端辺から前記内底板の基端辺に向けて先細る形状を有し、前記切欠きの先端から前記内底板の先端辺まで延びる第１辺と、前記切欠きの先端から前記内底板の先端辺まで延びる第２辺とによって区画され、
前記各切欠きの第１辺と他の前記切欠きとの距離が、前記各切欠きの第２辺と他の前記切欠きとの距離よりも長く、
前記各切欠きの第２辺は、前記第２辺の各部位において、前記内底板の先端辺との距離が短い部位ほど、他の前記切欠きとの距離が短く、かつ、前記切欠きの内側に向けて突となる曲線状を有し、
前記内底板と前記外底フラップとは、前記紙箱において、相互に重ね合わせられ、かつ、前記切欠きの先端に前記ロック片の基端が嵌り込むことによって、相互に固定される底組みロックを構成する
紙箱のブランクシート。
【請求項５】
前記ブランクシートは、１枚の段ボールから構成され、
前記段ボールにおける中芯の延在方向は、前記外底フラップの基端辺から前記外底フラップの先端部に向けた方向である
請求項４に記載の紙箱のブランクシート。
【考案の詳細な説明】
【技術分野】
【０００１】
本考案は、紙箱の底組みロック、および、紙箱のブランクシートに関する。
【背景技術】
【０００２】
段ボールなどの紙材によって構成される箱の底部は、例えば、外周板において前後に一対の底辺に連接した一対の内底板と、外周板において左右に一対の底辺に連接した一対の外底フラップとから構成される。内底板の位置や外底フラップの位置を固定するための紙箱の底組みロックにおいて、内底板の先端辺は、例えば、平面視において八字状を有したスリットを備え、各外底フラップにおける前後の両側端は、前後に突き出たロック片を備える。各外底フラップにおけるロック片は、各外底フラップにおける前後の両側端に、Ｖ字状を有した切欠きを区画する。そして、外底フラップのロック片が、内底板の各スリットに差し込まれ、また、外底フラップの切欠きにおける窪み端に、内底板の切欠きにおける窪み端が嵌め込まれ、それによって、内底板の位置と、外底フラップの位置とが、相互に固定される（例えば、特許文献１を参照）。
【先行技術文献】
【特許文献】
【０００３】
【特許文献１】実公昭５６‐５５４４号公報
【考案の概要】
【考案が解決しようとする課題】
【０００４】
ところで、上述した底組みロックの組み立てでは、まず、前後に一対の内底板が相互に噛み合わせられる。次いで、外底フラップのロック片における先端が、紙箱の内側に向けて押し下げられ、それによって、各内底板の先端が、紙箱の内側に向けて押し下げられ、かつ、相互に離れるように、内底板の基端を中心として、各内底板が回転する。そして、ロック片の先端が、内底板のスリットに噛み合わせられ、内底板のスリットに差し込まれる。
【０００５】
この際、内底板の有するスリットの形状が直線状であるため、スリットの開口とロック片の先端との位置を整合させて、ロック片の先端をスリットに差し込むことが容易ではない。結果として、上述した底組みロックの有する構成は、底組みロックの組み立てに要する時間を短くすること、ひいては、底組みロックを組み立てる作業の効率を高めることの妨げとなっている。
本考案は、組み立てる作業の効率を高めることを可能とした紙箱の底組みロック、および、紙箱のブランクシートを提供することを目的とする。
【課題を解決するための手段】
【０００６】
上記課題を解決するための紙箱の底組みロックは、長側板と短側板とが周方向において交互に連接した外周板と、前記各長側板の底辺に連接する内底板であって、前記各内底板の基端辺が前記長側板の底辺であり、前記各内底板の先端辺が他の前記内底板の先端辺と噛み合う部位であり、前記内底板における先端辺の延在方向に一対の切欠きが並ぶ前記内底板と、前記各短側板の底辺に連接する外底フラップであって、前記外底フラップの基端辺が前記短側板の底辺であり、前記各外底フラップの先端部が、前記外底フラップの基端辺から前記外底フラップの先端部に向けて延びる矩形板状を有したロック片である前記外底フラップと、を備える。前記各切欠きは、前記内底板の先端辺から前記内底板の基端辺に向けて先細る形状を有し、前記切欠きの先端から前記内底板の先端辺まで延びる第１辺と、前記切欠きの先端から前記内底板の先端辺まで延びる第２辺とによって区画される。前記各切欠きの第１辺と他の前記切欠きとの距離が、前記各切欠きの第２辺と他の前記切欠きとの距離よりも長く、前記各切欠きの第２辺は、前記第２辺の各部位において、前記内底板の先端辺との距離が短い部位ほど、他の前記切欠きとの距離が短く、かつ、前記切欠きの内側に向けて突となる曲線状を有する。そして、前記内底板と前記外底フラップとは、相互に重ね合わせられ、かつ、前記切欠きの先端に前記ロック片の基端が嵌り込むことによって、相互に固定される。
【０００７】
上記課題を解決するための紙箱のブランクシートは、長側板と短側板とが延在方向において交互に連接した外周板と、前記各長側板の底辺に連接する内底板であって、前記各内底板の基端辺が前記長側板の底辺であり、前記紙箱において、前記各内底板の先端辺が他の前記内底板の先端辺と噛み合う部位であり、前記内底板における先端辺の延在方向に一対の切欠きが並ぶ前記内底板と、前記各短側板の底辺に連接する外底フラップであって、前記外底フラップの基端辺が前記短側板の底辺であり、前記各外底フラップの先端部が、前記外底フラップの基端辺から前記外底フラップの先端部に向けて延びる矩形板状を有したロック片である前記外底フラップと、を備える。前記各切欠きは、前記内底板の先端辺から前記内底板の基端辺に向けて先細る形状を有し、前記切欠きの先端から前記内底板の先端辺まで延びる第１辺と、前記切欠きの先端から前記内底板の先端辺まで延びる第２辺とによって区画され、前記各切欠きの第１辺と他の前記切欠きとの距離が、前記各切欠きの第２辺と他の前記切欠きとの距離よりも長く、前記各切欠きの第２辺は、前記第２辺の各部位において、前記内底板の先端辺との距離が短い部位ほど、他の前記切欠きとの距離が短く、かつ、前記切欠きの内側に向けて突となる曲線状を有する。そして、前記内底板と前記外底フラップとは、前記紙箱において、相互に重ね合わせられ、かつ、前記切欠きの先端に前記ロック片の基端が嵌り込むことによって、相互に固定される底組みロックを構成する。
【０００８】
上記各構成によれば、底組みロックの組み立てに際して、まず、一対の内底板が相互に噛み合わせられる。次いで、外底フラップにおける先端部であるロック片が、外周板の内側に向けて押し下げられ、それによって、各内底板の先端辺が、外周板の内側に向けて押し下げられ、かつ、各内底板の先端辺が、相互に離れるように、内底板の基端辺を中心として、各内底板が回転する。そして、ロック片の先端が、内底板の切欠きに噛み合わせられ、内底板の切欠きに差し込まれる。
【０００９】
ここで、各切欠きの第１辺と、他の切欠きとの距離は、各切欠きの第２辺と、他の切欠きとの距離よりも長い。言い換えれば、切欠きに噛み合わせられたロック片を基準として、切欠きの第２辺は、その切欠きの第１辺よりも、ロック片の先端側に位置する。そして、外周板の内側に向けて外底フラップが押し下げられるとき、ロック片の先端は、切欠きの第２辺から切欠きの内部に入り込む。
【００１０】
この際、切欠きにおける第２辺の各部位と、他の切欠きとの距離は、内底板の先端辺との距離が短い部位ほど短い。また、切欠きにおける第２辺は、切欠きの内側に向けて突となる曲線状を有する。すなわち、切欠きにおける第２辺の各部位は、内底板の先端辺との距離が短い部位ほど、ロック片の先端側に位置する。また、切欠きにおける第２辺の各部位において、ロック片の先端側への曲がりの度合いは、内底板の先端辺との距離が短い部位ほど大きい。そして、ロック片の先端が、内底板の先端辺から切欠きの内部へ入り込むため、上述した切欠きの形状であれば、各ロック片の先端は、切欠きの第２辺から切欠きの内部に入り込みやすい。それゆえに、底組みロックを組み立てる作業の効率を高めることが可能である。
【００１１】
上記紙箱の底組みロックにおいて、前記底組みロックは、１枚の段ボールから構成され、前記段ボールにおける中芯の延在方向は、前記外底フラップの基端辺から前記外底フラップの先端部に向けた方向であってもよい。
【００１２】
上記紙箱のブランクシートにおいて、ブランクシートは、１枚の段ボールから構成され、段ボールにおける中芯の延在方向は、外底フラップの基端辺から外底フラップの先端部に向けた方向であってもよい。
上記各構成によれば、中芯の延在方向とロック片の延在方向とがほぼ平行であるため、ロック片がその基端から折れ曲がることが、より抑えられる。
【００１３】
上記紙箱の底組みロックにおいて、前記第１辺は、第１線分と第２線分とから構成され、前記第１線分は、前記内底板の先端辺から前記内底板の先端辺と直交する方向に延び、前記第２線分は、前記第２線分の各部位において、前記内底板の先端辺との距離が短い部位ほど、他の前記切欠きとの距離が長く、かつ、前記切欠きの外側に向けて突となる曲線状を有してもよい。
【００１４】
上記紙箱の底組みロックによれば、底組みロックにおけるロックの解除に際して、まず、外底フラップにおける先端部であるロック片が、外周板の内側に向けて押し下げられる。これに伴い、各内底板の先端辺は、外周板の内側に向けて押し下げられ、かつ、相互に離れるように、内底板の基端辺を中心として、各内底板が回転する。また、ロック片においてロック片の延在方向に延びる側縁は、切欠きにおける第１辺に沿って変位する。そして、ロック片の側縁が、切欠きから外れることによって、底組みロックにおけるロックが解除される。
【００１５】
この際、第１辺における第２線分の各部位と、他の切欠きとの距離は、内底板の先端辺との距離が短い部位ほど長い。また、切欠きにおける第２辺は、切欠きの外側に向けて突となる曲線状を有する。すなわち、第１辺における第２線分の各部位は、内底板の先端辺との距離が短い部位ほど、ロック片の基端側に位置する。また、第１辺における第２線分の各部位において、ロック片の基端側への曲がりの度合いは、内底板の先端辺との距離が長い部位ほど大きい。そして、ロック片の側縁が、第１辺に沿って変位するため、上述した形状であれば、ロック片における側縁の変位が、円滑に進行する。結果として、底組みロックにおけるロックの解除に際しても、ロック片の折れ曲がりが抑えられるため、底組みロックの再利用においても、上述した効果に準じた効果が得られる。
【図面の簡単な説明】
【００１６】
【図１】紙箱の底組みロックの一実施形態におけるブランクシートを示す展開図。
【図２】紙箱の底組みロックを組み立てる工程を示す工程図であって、底組みロックを外方底側から見た図。
【図３】紙箱の底組みロックを組み立てる工程を示す工程図であって、一対の内底板が相互に噛み合わされる工程を示す図。
【図４】紙箱の底組みロックを組み立てる工程を示す工程図であって、外底フラップが外周板の内側に押し下げられる工程を示す図。
【図５】紙箱の底組みロックを組み立てる工程を示す工程図であって、各ロック片が切欠きに嵌め込まれた状態を示す図。
【図６】紙箱の底組みロックを組み立てる工程を示す工程図であって、外周板の内側から底組みロックを見た図。
【考案を実施するための形態】
【００１７】
以下、紙箱の底組みロックの一実施の形態を説明する。
図１が示すように、紙箱のブランクシートにおいて、紙箱を構成する段ボールの中芯の延在方向は、ブランクシートの延在方向Ｄと直交する。紙箱のブランクシートは、一対の長側板１１と、一対の短側板２１とを備える。長側板１１と短側板２１とは、ブランクシートの長手方向において、折り目を介して、１つずつ交互に連接する。各長側板１１の底辺１１Ｂは、内底板１２の基端辺である。各短側板２１の底辺２１Ｂは、外底フラップ２２の基端辺である。各長側板１１の頂辺１１Ｕは、外フラップ１３の基端辺である。各短側板２１の頂辺２１Ｕは、内フラップ２３の基端辺である。２つの長側板１１のなかで端に位置する長側板１１は、つなぎ代１１Ｅを備える。
【００１８】
２つの短側板２１のなかで端に位置する短側板２１は、つなぎ代１１Ｅに接合され、それによって、長側板１１と短側板２１とが周方向において交互に連接した外周板が、紙箱において形成される。
【００１９】
延在方向Ｄと直交する方向は、幅方向である。各外フラップ１３における幅方向の寸法Ｆ１は、紙箱の組み立て時において、各外フラップ１３が相互に突き合わされるように、短側板２１の幅方向の寸法Ｆ２の１／２にほぼ等しい長さを有する。
【００２０】
各内底板１２の先端辺１２Ｅは、紙箱において、他の内底板１２の先端辺１２Ｅと噛み合う部位である。各内底板１２は、延在方向Ｄに並ぶ、一対の切欠き１５を有する。各切欠き１５は、内底板１２の先端辺１２Ｅに開口を有し、かつ、内底板１２の基端辺に向けて先細る、逆Ｖ字状を有する。一対の切欠き１５は、内底板１２における延在方向Ｄの中心軸Ｃを対象軸として、線対象となる形状を有する。
【００２１】
各切欠き１５は、第１辺１５Ａと第２辺１５Ｂとによって区画されている。第１辺１５Ａと第２辺１５Ｂとは、切欠き１５の先端である屈曲部１５Ｔから、内底板１２の先端辺１２Ｅまで延びる。各切欠き１５において、第１辺１５Ａは、第２辺１５Ｂよりも、延在方向Ｄの外側に位置する。各切欠き１５の第１辺１５Ａと、他の切欠き１５との距離は、各切欠き１５の第２辺１５Ｂと、他の切欠き１５との距離よりも長い。
【００２２】
第１辺１５Ａは、第1線分１５Ａ１と第２線分１５Ａ２とから構成される。第1線分１５Ａ１は、内底板１２の先端辺１２Ｅにおいて、延在方向Ｄとほぼ直交する。第２線分１５Ａ２は、第1線分１５Ａ１の先端から第２辺１５Ｂの先端に向けて延びる曲線であり、切欠き１５の基端である屈曲部１５Ｔまで延びる。各第２線分１５Ａ２は、第２線分１５Ａ２の各部位において、内底板１２の先端辺１２Ｅとの距離が短い部位ほど、他の切欠き１５との距離が長く、かつ、切欠き１５の外側に向けて突となる曲線状を有する。
【００２３】
第２辺１５Ｂは、内底板１２の先端辺１２Ｅから屈曲部１５Ｔまで延びる曲線であり、第１辺１５Ａに向けて突となる曲率、すなわち、切欠き１５の内側に向けて突となる曲線状を有する。第２辺１５Ｂは、第２辺１５Ｂと第１辺１５Ａとの距離を短くするように、延在方向Ｄに対して傾きを有する。各切欠き１５の第２辺１５Ｂは、第２辺１５Ｂの各部位において、内底板１２の先端辺１２Ｅとの距離が短い部位ほど、他の切欠き１５との距離が短い。第２辺１５Ｂは、屈曲部１５Ｔにおいて、延在方向Ｄとほぼ直交する。
【００２４】
各外底フラップ２２は、短側板２１の底辺２１Ｂから先細る逆台形状を有する。各外底フラップ２２の先端部は、延在方向Ｄのほぼ中央部に、１つのロック片２２Ｌを備える。各ロック片２２Ｌは、角に丸みを帯びた帯状を有する。各ロック片２２Ｌは、外底フラップ２２の基端辺から外底フラップ２２の先端部に向けて延びる矩形板状を有する。内底板１２の先端辺１２Ｅと、切欠き１５の屈曲部１５Ｔとの幅方向における距離は、嵌め込み幅ＦＷである。各ロック片２２Ｌにおける延在方向Ｄの距離は、ロック片幅Ｆ３であり、ロック片幅Ｆ３は、嵌め込み幅ＦＷのほぼ２倍である。嵌め込み幅ＦＷは、例えば３５ｍｍであり、ロック片幅Ｆ３は、例えば７０ｍｍである。
【００２５】
内底板１２の先端辺１２Ｅにおいて、第1線分１５Ａ１と第２線分１５Ａ２との最大距離は、嵌め込み長さＬＷである。各ロック片２２Ｌにおける幅方向の距離は、ロック片長さＬ３であり、ロック片長さＬ３は、嵌め込み長さＬＷとほぼ等しい。嵌め込み長さＬＷは、例えば３４ｍｍであり、ロック片長さＬ３は、例えば３５ｍｍである。
【００２６】
次に、図２が示すように、上記ブランクシートが組み立てられるとき、まず、ブランクシートの延在方向Ｄにおける端部に位置する短側板２１と、つなぎ代１１Ｅとが接合される。これによって、矩形筒状を有した外周板３１が、一対の長側板１１と、一対の短側板２１とから形成される。
【００２７】
次に、図３が示すように、外周板３１を倒立させた状態で、一対の内底板１２の先端辺１２Ｅを相互に噛み合わせるように、各内底板１２を外周板３１の内側に折り畳む。この際、各内底板１２の第１辺１５Ａが、相互に突き合わされると共に、各内底板１２の第２辺１５Ｂが、相互に噛み合わされる。
【００２８】
次に、図４が示すように、各外底フラップ２２を、一対の内底板１２の上に折り重ねる。また、外底フラップ２２の先端におけるほぼ中央部に位置するロック片２２Ｌを、相互に突き合わされた切欠き１５の上に重ねる。この際、各内底板１２の第１辺１５Ａが、相互に突き合わされると共に、各内底板１２の第２辺１５Ｂが、相互に突き合わされる。続いて、各ロック片２２Ｌの先端を、図４の矢印が示すように、外周板３１の内側に向けて押し下げる。また、各ロック片２２Ｌの先端は、各内底板１２の先端を外周板３１の内側に向けて押し下げる。
【００２９】
ここで、延在方向Ｄにおいて一対の切欠き１５では、各切欠き１５の第１辺１５Ａと、他の切欠き１５との距離が、各切欠き１５の第２辺１５Ｂと、他の切欠き１５との距離よりも長い。言い換えれば、切欠き１５に噛み合わせられるロック片２２Ｌを基準として、切欠き１５の第２辺１５Ｂは、その切欠き１５の第１辺１５Ａよりも、ロック片２２Ｌの先端側に位置する。そして、外周板３１の内側に向けて外底フラップ２２が押し下げられるとき、ロック片２２Ｌの先端は、切欠き１５の第２辺１５Ｂから切欠き１５の内部に入り込む。
【００３０】
この際、延在方向Ｄにおいて一対の切欠き１５では、切欠き１５における第２辺１５Ｂの各部位と、他の切欠き１５との距離は、内底板１２の先端辺１２Ｅとの距離が短い部位ほど短い。また、切欠き１５における第２辺１５Ｂは、切欠き１５の内側に向けて突となる曲線状を有する。すなわち、切欠き１５における第２辺１５Ｂの各部位は、内底板１２の先端辺１２Ｅとの距離が短い部位ほど、ロック片２２Ｌの先端側に位置する。また、切欠き１５における第２辺１５Ｂの各部位において、ロック片２２Ｌの先端側への曲がりの度合いは、内底板１２の先端辺１２Ｅとの距離が短い部位ほど大きい。そして、ロック片２２Ｌの先端が、内底板１２の先端辺１２Ｅから切欠き１５の内部へ入り込むため、上述したように、先端辺１２Ｅの開口から先細る切欠き１５の形状であれば、各ロック片２２Ｌの先端は、切欠き１５の第２辺１５Ｂから切欠き１５の内部に入り込みやすい。
【００３１】
以上の過程において、内底板１２における回転軸の延在方向は、ロック片２２Ｌの延在方向とほぼ平行である。それゆえに、ロック片２２Ｌを押し下げる応力は、ロック片２２Ｌを折り曲るようには作用し難く、結果として、紙箱の底組みロックにおける堅牢性を高めることが可能である。
【００３２】
次に、図５が示すように、外周板３１の内側に押し下げられた各外底フラップ２２、および、各ロック片２２Ｌから、それらを押し下げるための応力を解除する。各外底フラップ２２、および、各ロック片２２Ｌは、ブランクシートの素材が有する復元力に従って、外周板３１の外側に向けて若干戻る。そして、相互に突き合わされた各切欠き１５の屈曲部１５Ｔに、ロック片２２Ｌの基端が嵌り込み、内底板１２と外底フラップ２２とが、相互に重ね合わされ、これら内底板１２の位置と外底フラップ２２の位置とが固定される。
【００３３】
この際、ブランクシートの素材が有する復元力を用いて、切欠き１５の屈曲部１５Ｔとロック片２２Ｌの基端との噛み合わせが進むため、内底板１２の位置と外底フラップ２２の位置との固定が円滑に進む。
また、図６が示すように、各ロック片２２Ｌの先端は、外周板３１の内側から作用する荷重に対して、各内底板１２に支持されて、底抜けし難いものとなる。結果として、各ロック片２２Ｌは、切欠き１５と噛み合い、外周板３１の内側からの応力に対して抜け止めされる。また、収容対象が箱内に収容されるとき、収容対象の重量によって内底板１２や外底フラップ２２が撓むとしても、各ロック片２２Ｌが一対の内底板１２を確実にロックするため、箱の底抜けを抑制できる。
【００３４】
なお、紙箱の底組みロックにおけるロックの解除に際しては、図４で示した操作と同様の操作が行われる。まず、外底フラップ２２における先端部であるロック片２２Ｌが、外周板３１の内側に向けて押し下げられる。これに伴い、相互に噛み合わせられた一対の内底板１２が、外周板３１の内側に向けて押し下げられる。また、各内底板１２の先端辺１２Ｅは、外周板３１の内側に向けて押し下げられ、かつ、相互に離れるように、内底板１２の基端辺を中心として、各内底板１２が回転する。また、ロック片２２Ｌにおいてロック片２２Ｌの延在方向に延びる側縁２２Ｅは、切欠き１５における第１辺１５Ａに沿って変位する。そして、ロック片２２Ｌの側縁２２Ｅが、切欠き１５から外れることによって、底組みロックにおけるロックが解除される。
【００３５】
この際、第１辺１５Ａにおける第２線分１５Ａ２の各部位と、他の切欠き１５との距離は、内底板１２の先端辺１２Ｅとの距離が短い部位ほど長い。また、切欠き１５における第２線分１５Ａ２は、切欠き１５の外側に向けて突となる曲線状を有する。すなわち、第１辺１５Ａにおける第２線分１５Ａ２の各部位は、内底板１２の先端辺１２Ｅとの距離が短い部位ほど、ロック片２２Ｌの基端側に位置する。また、第１辺１５Ａにおける第２線分１５Ａ２の各部位において、ロック片２２Ｌの基端側への曲がりの度合いは、内底板１２の先端辺１２Ｅとの距離が長い部位ほど大きい。そして、ロック片２２Ｌの側縁２２Ｅが、第１辺１５Ａに沿って変位するため、上述した形状であれば、ロック片２２Ｌにおける側縁２２Ｅの変位が、円滑に進行する。結果として、底組みロックにおけるロックの解除に際しても、ロック片２２Ｌの折れ曲がりが抑えられるため、底組みロックの再利用においても、上述した効果に準じた効果が得られる。
【００３６】
以上説明したように、上記実施の形態によれば、以下の効果が得られる。
（１）紙箱の底組みロックが、先端辺１２Ｅの開口から先細る切欠き１５を備えるため、切欠き１５の開口とロック片２２Ｌとの位置の整合に要する負荷を軽減して、紙箱の底組みロックを組み立てる際の作業の効率を高めることを可能となる。
（２）また、ロック片２２Ｌの有する形状が、外底フラップ２２の基端辺から外底フラップ２２の先端部に向けて延びる簡素な矩形板状であるため、切欠き１５とロック片２２Ｌとの位置の整合がさらに容易でもある。
（３）さらに、ロック片２２Ｌの有する形状が、外底フラップ２２の先端をさらに延在させたような、簡素な矩形板状であるため、紙箱の底組みロックの組み立てに際して、ロック片２２Ｌの形状が変わることを抑えることが可能ともなる。そして、紙箱の底組みロックにおける堅牢性を高めることが可能である。
（４）中芯の延在方向とロック片２２Ｌの延在方向とがほぼ平行であるため、ロック片２２Ｌがその基端から折れ曲がることが、より抑えられる。
（５）底組みロックにおけるロックの解除に際しても、ロック片２２Ｌの折れ曲がりが抑えられるため、底組みロックの再利用においても、上記（１）に準じた効果が得られる。
【００３７】
なお、上記実施の形態は、以下のように変更して実施することもできる。
・紙箱を構成する段ボールの中芯の延在方向は、ブランクシートの延在方向Ｄと平行であってもよいし、延在方向Ｄと交差する方向であってもよい。
【００３８】
・第１辺１５Ａは、その全体が延在方向Ｄと直交する直線状であってもよいし、延在方向Ｄと交差する直線状であってもよい。また、第１辺１５Ａの形状は、第２辺１５Ｂと相似形であってもよい。
【符号の説明】
【００３９】
Ｃ…中心軸、Ｄ…延在方向、１１…長側板、１２…内底板、１３…外フラップ、１５…切欠き、１５Ａ…第１辺、１５Ａ１…第１線分、１５Ａ２…第２線分、１５Ｂ…第２辺、１５Ｔ…屈曲部、２１…短側板、２２…外底フラップ、２２Ｅ…側縁、２２Ｌ…ロック片、２３…内フラップ、３１…外周板。
【図１】
0003206647.tif 000003
【図２】
0003206647.tif 000004
【図３】
0003206647.tif 000005
【図４】
0003206647.tif 000006
【図５】
0003206647.tif 000007
【図６】
0003206647.tif 000008